【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
クライアント・デバイスにおける、コンピュータによる実行される方法であって、
オン・デマンド視聴のために番組を維持するコンテンツ・ディストリビューターにおいて一緒に記録されている番組の群の高速検討を開始するステップであって、再生アプリケーションにより開始される前記高速検討が、前記クライアント・デバイスのプロセッサにより実行される、ステップと、
前記番組の群が高速での検討のために表示されるときに、前記番組の各々を特定するための番組情報画像を受けるステップと、
ある番組に対応する番組情報画像を表示するステップと、
ステータス・インジケーターを表示して、前記番組に関する検討位置を示すステップと、
前記番組の群が高速での検討のために表示されるとき、次の番組または前の番組の少なくとも１つに対応する追加番組情報画像を表示するステップと、
前記番組情報画像から前記追加番組情報画像への遷移を表示するステップであって、前記番組情報画像間における前記遷移は、前記番組を通してまた前記番組間での進行の外観として表示し、前記ステータス・インジケーターがさらに、前記番組情報画像および前記追加番号情報画像上でまたそれら画像間で遷移するように構成された、ステップと、
を含む、方法。
【請求項２】
請求項１記載の方法であって、更に、前記番組がオン・デマンド視聴のために選択可能になると、前記番組の各々に対応する、前記番組情報画像を表示するためのユーザー・インターフェースを発生するステップを含む、方法。
【請求項３】
請求項１または２に記載の方法において、前記高速検討は、前記番組の群の高速巻き戻し、または前記番組の群の高速前進のうち少なくとも１つを含む、方法。
【請求項４】
請求項１から３のいずれかに記載の方法において、前記番組の群における前記番組は、特定のテレビジョン・チャネルのために以前に前記コンテンツ・ディストリビューターからテレビジョン・クライアント・デバイスに放送されたものであり、前記番組は、選択可能なオン・デマンド番組として、前記コンテンツ・ディストリビューターに格納されている、方法。
【請求項５】
請求項１から４のいずれかに記載の方法において、前記番組に対応する前記番組情報画像は、番組情報ページまたは番組画像ページのうち少なくとも１つを含む、方法。
【請求項６】
請求項１から５のいずれかに記載の方法において、前記番組に対応する前記番組情報画像は、前記番組のビデオ・フレームを含む、方法。
【請求項７】
請求項１から６のいずれかに記載の方法であって、更に、
前記番組に対応する前記番組情報画像を選択するための視聴者入力を受けるステップと、
前記番組をオン・デマンド選択としての視聴のために提供する前記コンテンツ・ディストリビューターに要求を伝達するステップと、
を含む、方法。
【請求項８】
テレビジョン・クライアント・デバイスであって、
番組の群が高速での検討のために表示されるときに、番組を特定するための番組情報画像を受けるように構成されたメディア・コンテンツ入力と、
コンテンツ・ディストリビューターからの前記番組の群の高速検討を要求するように構成された再生アプリケーションであって、前記番組の群が、前記コンテンツ・ディストリビューターにおいて一緒に記録されオン・デマンド選択のために維持され、該再生アプリケーションが更に、
ある番組に対応する番組情報画像と、
前記番組に関する検討位置を示すステータス・インジケーターと、
前記番組の群が高速での検討のために表示されるとき、次の番組または前の番組の少なくとも１つに対応する追加番組情報画像と、
前記番組情報画像から前記追加番組情報画像への遷移であって、番組情報画像間の前記遷移は、番組を通してまた番組間での進行の外観として表示し、前記ステータス・インジケーターが、前記番組情報画像上でまたそれら画像間で遷移するように構成された、遷移と、
の表示を開始するように構成された、再生アプリケーションと、
を含む、テレビジョン・クライアント・デバイス。
【請求項９】
請求項８記載のテレビジョン・クライアント・デバイスにおいて、前記再生アプリケーションは、更に、ある番組がディスプレイ上においてオン・デマンド視聴のために選択可能となったときに、前記番組の各々に対応する前記番組情報画像の表示を開始するように構成された、テレビジョン・クライアント・デバイス。
【請求項１０】
請求項８または９に記載のテレビジョン・クライアント・デバイスにおいて、前記高速検討は、前記番組の群の高速巻き戻し、または前記番組の群の高速前進のうち少なくとも１つを含む、テレビジョン・クライアント・デバイス。
【請求項１１】
請求項８から１０のいずれかに記載のテレビジョン・クライアント・デバイスにおいて、前記番組の群における前記番組は、特定のテレビジョン・チャネルのために以前に前記コンテンツ・ディストリビューターから放送されたものであり、前記番組は、選択可能なオン・デマンド・アセットとして、前記コンテンツ・ディストリビューターに格納されている、テレビジョン・クライアント・デバイス。
【請求項１２】
請求項８から１１のいずれかに記載のテレビジョン・クライアント・デバイスにおいて、前記番組の群における前記番組は、共通番組識別子によって関係付けられている、テレビジョン・クライアント・デバイス。
【請求項１３】
請求項８から１２のいずれかに記載のテレビジョン・クライアント・デバイスにおいて、前記番組に対応する前記番組情報画像は、番組情報ページまたは番組画像ページのうち少なくとも１つを含む、テレビジョン・クライアント・デバイス。
【請求項１４】
請求項８から１３のいずれかに記載のテレビジョン・クライアント・デバイスにおいて、前記番組に対応する前記番組情報画像は、前記番組のビデオ・フレームを含む、テレビジョン・クライアント・デバイス。
【請求項１５】
請求項８から１４のいずれかに記載のテレビジョン・クライアント・デバイスにおいて、前記再生アプリケーションは、更に、
前記番組に対応する前記番組情報画像を選択する視聴者入力を受け、
オン・デマンド選択として視聴のための前記番組を提供する前記コンテンツ・ディストリビューターに、前記番組を要求する、
ように構成された、テレビジョン・クライアント・デバイス。
【請求項１６】
コンテンツ・ディストリビューターであって、
オン・デマンド番組として配信のために一緒に記録されている番組の群として、テレビジョン・メディア・コンテンツを維持するように構成されている記憶媒体と、
前記番組の群の高速検討の要求をクライアント・デバイスから受けるように構成されており、更に、前記クライアント・デバイスにおける表示のために前記番組の群内の番組に対応する番組情報画像を伝達するように構成された、アセット・マネージャであって、ある番組に対応する番組情報画像が表示され、前記番組の群が前記クライアント・デバイスにおいて高速での検討のために表示されるときに、次の番組または前の番組の少なくとも１つに対応する追加番組情報画像が表示され、前記番組情報画像間における遷移が、番組を通してまた番組間での進行の外観として表示され、ステータス・インジケーターが前記番組に関する検討位置を示すために表示され、前記ステータス・インジケーターが前記番組情報画像上でまたそれら番組情報画像間で遷移するように構成された、アセット・マネージャと、
を含む、コンテンツ・ディストリビューター。
【請求項１７】
請求項１６記載のコンテンツ・ディストリビューターにおいて、前記番組に対応する前記番組情報画像は、前記番組の番組情報ページ、番組画像ページ、またはビデオ・フレームのうち少なくとも１つを含む、コンテンツ・ディストリビューター。
【請求項１８】
請求項１６または１７に記載のコンテンツ・ディストリビューターにおいて、前記高速検討は、前記番組の群の高速巻き戻し、または前記番組の群の高速前進のうち少なくとも１つを含む、コンテンツ・ディストリビューター。